(57)【要約】【課題】光増幅器間における利得の偏りを抑制することができる技術を提供すること。【解決手段】実施形態の光アクセスシステムは、ＯＬＴからＯＮＵに向かう光信号を受信し、受信した光信号を前記光信号の波長に応じた出力ポートに出力する一以上の光スイッチと、一の光スイッチから出力された光信号を増幅し、増幅した光信号を他の光スイッチに出力する一以上の光増幅器とを備えるリング型のネットワークと、前記リング型ネットワークに接続された前記ＯＬＴ及び一以上の前記ＯＮＵと、を備え、前記ＯＬＴは、前記ＯＮＵから送信された光信号強度を測定する信号強度測定部と、前記信号強度測定部によって測定された光信号強度に基づいて、前記光増幅器の一部又は全部において所定以上の利得が得られるように、前記一以上の光スイッチが入力された光信号の波長に応じて選択する出力ポートを制御する経路制御部と、を備える。【選択図】図２
2018129749.tif 000002
【特許請求の範囲】
【請求項１】
局側光終端装置から加入者側光終端装置に向かう光信号を受信し、受信した光信号を前記光信号の波長に応じた出力ポートに出力する一以上の光スイッチと、一の光スイッチから出力された光信号を増幅し、増幅した光信号を他の光スイッチに出力する一以上の光増幅器とを備えるリング型のネットワークと、
前記リング型ネットワークに接続された前記局側光終端装置及び一以上の前記加入者側光終端装置と、
を備え、
前記局側光終端装置は、
前記加入者側光終端装置から送信された光信号強度を測定する信号強度測定部と、
前記信号強度測定部によって測定された光信号強度に基づいて、前記光増幅器の一部又は全部において所定以上の利得が得られるように、前記一以上の光スイッチが入力された光信号の波長に応じて選択する出力ポートを制御する経路制御部と、
を備える光アクセスシステム。
【請求項２】
前記経路制御部は、前記一以上の光スイッチの出力ポートを制御することにより、複数の前記光増幅器間で、各波長の光信号の利得が略均一になるように前記光増幅器に入力する波長の数を制御する、
請求項１に記載の光アクセスシステム。
【請求項３】
前記経路制御部は、前記加入者側光終端装置から送信された光信号の強度に基づいて自装置と前記加入者側光終端装置との間の距離を推定し、自装置からより遠い加入者側光終端装置が送受信する光信号ほど、入力される光信号の波長数がより少ない光増幅器を通過するように、複数の前記光スイッチの出力ポートを制御する、
請求項１又は２に記載の光アクセスシステム。
【請求項４】
前記加入者側光終端装置と前記局側光終端装置とがそれぞれ複数の波長で光信号を送受信可能であり、かつ前記波長を任意に変更可能である場合、
前記経路制御部は、前記加入者側光終端装置から送信された光信号の強度に応じて、前記光増幅器で所定以上の利得が得られるように、前記加入者側光終端装置が送受信する光信号の波長を制御する、
請求項１から３のいずれか一項に記載の光アクセスシステム。
【発明の詳細な説明】
【技術分野】
【０００１】
本発明は、光アクセスシステムに関する。
【背景技術】
【０００２】
ＦＴＴＨ （Fiber To The Home）やモバイルサービスによる高速インターネットを利用するユーザの数は増大し続けており、人々の生活に欠かすことのできないものとなっている。一方で、ＦＴＴＨやモバイルサービスを提供するバックボーンネットワークでは、それぞれのサービスごとにネットワークが独立して構築されており、運用面において非効率である。そこで、１つの装置で複数のサービスを収容するアクセスネットワークが提案されている（例えば非特許文献１参照）。さらに、マルチサービスの収容が可能なアクセスネットワークを実現するために、複数の波長を利用するＷＤＭ−ＰＯＮ（Wavelength Division Multiplex PON）やＴＤＭ−ＰＯＮ（Time Division Multiplexing PON）等のＰＯＮ（Passive Optical Network：受動光ネットワーク）がＩＴＵ−Ｔ（International Telecommunication Union Telecommunication Standardization Sector）によって標準化されている（例えば非特許文献２参照）。
【０００３】
一方で、マルチサービスの収容を実現するためには、光アクセスシステムが収容可能な距離（以下「収容可能距離」という。）の拡大が必要である。ファイバアンプに代表される光増幅器は、光信号を電気信号に変換することなく信号強度を増幅することが可能である。そのため、光増幅器を使用することで、光アクセスシステムの収容可能距離を拡大することができる。
【先行技術文献】
【非特許文献】
【０００４】
【非特許文献１】S. Kimura, "Elastic Lambda Aggregation Network （EλAN） -Proposal for Future Optical Access Network-," OECC2013, WP4-4, 2013
【非特許文献２】ITU-T G.989.1
【発明の概要】
【発明が解決しようとする課題】
【０００５】
しかしながら、波長多重方式を用いた光アクセスシステムで光増幅器を使用する場合、光増幅器に入力する波長数に極端な偏りが発生すると、通過する光増幅器の経路によっては１波長あたりの光利得に差が生じてしまい、通信品質にばらつきが発生してしまう可能性があった。
【０００６】
上記事情に鑑み、本発明は、光増幅器間における利得の偏りを抑制することができる技術を提供することを目的としている。
【課題を解決するための手段】
【０００７】
本発明の一態様は、局側光終端装置から加入者側光終端装置に向かう光信号を受信し、受信した光信号を前記光信号の波長に応じた出力ポートに出力する一以上の光スイッチと、一の光スイッチから出力された光信号を増幅し、増幅した光信号を他の光スイッチに出力する一以上の光増幅器とを備えるリング型のネットワークと、前記リング型ネットワークに接続された前記局側光終端装置及び一以上の前記加入者側光終端装置と、を備え、前記局側光終端装置は、前記加入者側光終端装置から送信された光信号強度を測定する信号強度測定部と、前記信号強度測定部によって測定された光信号強度に基づいて、前記光増幅器の一部又は全部において所定以上の利得が得られるように、前記一以上の光スイッチが入力された光信号の波長に応じて選択する出力ポートを制御する経路制御部と、を備える光アクセスシステムである。
【０００８】
本発明の一態様は、上記の光アクセスシステムであって、前記経路制御部は、前記一以上の光スイッチの出力ポートを制御することにより、複数の前記光増幅器間で、各波長の光信号の利得が略均一になるように前記光増幅器に入力する波長の数を制御する。
【０００９】
本発明の一態様は、上記の光アクセスシステムであって、前記経路制御部は、前記加入者側光終端装置から送信された光信号の強度に基づいて自装置と前記加入者側光終端装置との間の距離を推定し、自装置からより遠い加入者側光終端装置が送受信する光信号ほど、入力される光信号の波長数がより少ない光増幅器を通過するように、複数の前記光スイッチの出力ポートを制御する。
【００１０】
本発明の一態様は、上記の光アクセスシステムであって、前記加入者側光終端装置と前記局側光終端装置とがそれぞれ複数の波長で光信号を送受信可能であり、かつ前記波長を任意に変更可能である場合、前記経路制御部は、前記加入者側光終端装置から送信された光信号の強度に応じて、前記光増幅器で所定以上の利得が得られるように、前記加入者側光終端装置が送受信する光信号の波長を制御する。
【発明の効果】
【００１１】
本発明により、光増幅器間における利得の偏りを抑制することが可能となる。
【図面の簡単な説明】
【００１２】
【図１】実施形態の光アクセスシステムの具体例を示す概略図である。
【図２】実施形態のＯＬＴ１の機能構成の具体例を示すブロック図である。
【図３】光増幅器４で得られる信号光の利得の具体例を示す図である。
【図４】光増幅器４−２及び４−３における入力波長数と利得との関係の具体例を示す図である。
【図５】実施形態のＯＬＴ１が、各波長の光信号の伝送経路を制御する処理の流れを示すフローチャートである。
【図６】実施形態の光アクセスシステム１００の動作例を示す図である。
【発明を実施するための形態】
【００１３】
図１は、実施形態の光アクセスシステムの具体例を示す概略図である。光アクセスシステム１００は、一以上のＯＬＴ１（Optical Line Terminal：局側光終端装置）と、一以上のＯＮＵ２（Optical Network Unit：加入者側光終端装置）と、を備える。図１は、一以上のＯＬＴの例として一つのＯＬＴ１を備え、一以上のＯＮＵの例として３つのＯＮＵ２−１〜２−３を備える光アクセスシステム１００を示す。ＯＬＴ１と各ＯＮＵ２とは、リング型ネットワーク２００を介して接続される。リング型ネットワーク２００は、一以上の波長選択スイッチ３と、一以上の光増幅器４とがリング型に接続されたネットワークである。図１は、一以上の波長選択スイッチ３の例として４つの波長選択スイッチ３−１〜４−４を備え、一以上の光増幅器４の例として４つの光増幅器４−１〜４−４を備えるリング型ネットワーク２００を示す。
【００１４】
波長選択スイッチ３は、Ｍ×Ｎの波長選択型光スイッチであり、信号光の入力に対して波長に応じた出力ポートを選択し、選択した出力ポートに入力された信号光を出力する。波長選択スイッチ３が、信号光の波長に応じた出力ポートを選択することにより、信号光の伝送経路が決定される。本実施形態では、光増幅器４として、ＥＤＦＡ（Erbium doped fiber amplifier）を想定する。
【００１５】
ＯＬＴ１は、各ＯＮＵ２で使用される波長と、各波長の信号光が伝送される経路とに関する設定情報を管理する機能を有する。ＯＬＴ１は、設定情報に基づいて各ＯＮＵ２に波長を割り当てるとともに、波長選択スイッチ３による出力ポートの選択を制御する。なお、波長選択スイッチ３による出力ポートの選択を制御する機能（以下「波長選択制御機能」という。）は必ずしもＯＬＴ１に備えられる必要はない。光アクセスシステム１００は、波長選択制御機能を備える装置を、ＯＬＴ１とは別の装置として備えても良い。
【００１６】
また、ＯＬＴ１は、各ＯＮＵ２から受信される光信号の強度（以下「光信号強度」という。）を測定する機能と、光信号が各ＯＮＵ２から送信されてから自装置に受信されるまでの時間であるＲＴＴ（Round Trip Time）を測定する機能を有する。そして、ＯＬＴ１は、測定した光信号強度とＲＴＴとに基づいて各ＯＮＵ２との間の光ファイバ長を計算し、伝送路ごとの損失を見積もる機能を有する。
【００１７】
例えば、光ファイバ長が１０ｋｍである場合のＲＴＴは光信号が光ファイバを往復するのに要する時間である。すなわち、この場合のＲＴＴは光信号を２０ｋｍ伝送するのに要する時間となり、約１００μｓとなる。
【００１８】
なお、ＯＮＵ２がＲＴＴの測定機能を備える場合、ＯＬＴ１は各ＯＮＵ２から測定結果を取得してもよい。ただし、この場合には、ＯＬＴ１とＯＮＵ２との間である程度の通信が可能であるという制約が生じる。もしくは、ＯＬＴ１に、予め各伝送経路の距離情報を記憶させてもよい。この場合、ＯＬＴ１はＯＮＵ２との通信を行わずに各伝送経路における損失を見積もることができるが、新たなＯＮＵ２が追加されるたびに距離情報の更新が必要となる。
【００１９】
図２は、実施形態のＯＬＴ１の機能構成の具体例を示すブロック図である。ＯＬＴ１は、バスで接続されたＣＰＵ（Central Processing Unit）やメモリや補助記憶装置などを備え、プログラムを実行する。ＯＬＴ１は、プログラムの実行によって光信号入出力部１０１、ＲＴＴ測定部１０２、信号強度測定部１０３、光損失推定部１０４及び経路制御部１０５を備える装置として機能する。なお、ＯＬＴ１の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。プログラムは、電気通信回線を介して送信されてもよい。
【００２０】
光信号入出力部１０１は、光信号を入出力する。光信号入出力部１０１は電気信号を光信号に変換して光伝送路に出力することでデータを送信し、受信された光信号を電気信号に変換することでデータを受信する。
【００２１】
ＲＴＴ測定部１０２は、測定対象のＯＮＵ２との間で光信号の送受信を行うことにより測定対象のＯＮＵ２についてＲＴＴを測定する。ＲＴＴ測定部１０２は、測定したＲＴＴを示す情報（以下「ＲＴＴ情報」という。）を光損失推定部１０４に出力する。
【００２２】
信号強度測定部１０３は、受信信号の光信号強度を測定する。信号強度測定部１０３は、測定した光信号強度を示す情報（以下「強度情報」という。）を光損失推定部１０４に出力する。
【００２３】
光損失推定部１０４は、ＲＴＴ測定部１０２からＲＴＴ情報を取得し、信号強度測定部１０３から強度情報を取得する。光損失推定部１０４は、取得したＲＴＴ情報と強度情報とに基づいて各伝送経路における光信号の損失を推定する。光損失推定部１０４は、推定した各伝送経路における光信号の損失を示す情報（以下「損失情報」という。）を経路制御部１０５に出力する。
【００２４】
経路制御部１０５は、光損失推定部１０４から損失情報を取得し、取得した損失情報に基づいて各波長の光信号の伝送経路を決定する。経路制御部１０５は、各波長の光信号が、決定した伝送経路で伝送されるように各波長選択スイッチ３を制御する。
【００２５】
図３は、光増幅器４で得られる信号光の利得の具体例を示す図である。図３において、横軸は光増幅器４に入力される信号光（以下「入力光」という。）の強度を表し、縦軸は光増幅器４から出力される信号光（以下「出力光」という。）の利得を表す。図３に示すように、一般に、光増幅器４の出力光の利得は、入力光の強度が高くなるほど小さくなる。そして、この利得の低下は、入力光の強度が飽和領域を脱したところから急激に増大する。例えば、図３の例では、入力光の強度が−１５ｄＢｍを超えたところから出力光の利得が低下し始め、０ｄＢｍ付近から急激に低下することが分かる。
【００２６】
一方で、図１に示すように、ＯＬＴ１と各ＯＮＵ２−１〜２−３とが、それぞれλ１、λ２、λ３の波長で通信を行っている状況を考えると、ＯＮＵ２−１は他のＯＮＵ２−２及び２−３に比べて波長選択スイッチ３−４で分岐した後の伝送距離が長くなっているため、他のＯＮＵ２−２及び２−３よりも光ファイバ中の光損失が大きくなってしまい、通信品質が劣化する可能性がある。そして、これに図３に示す利得の低下が加わることで、ＯＮＵ２−１宛ての光信号の強度が著しく低下してしまう可能性がある。
【００２７】
例えば、図１では、光増幅器４−２及び４−３にλ１〜λ３の光信号が入力されているため、光増幅器４−２及び４−３では十分な利得が得られていない可能性がある。一方、ＯＮＵ２−２及び２−３は波長選択スイッチ３−４との間の距離が十分に短いため、光ファイバ中での光損失による信号劣化の度合いが小さいのに対して、ＯＮＵ１は波長選択スイッチ３−４との間の距離が長いため、光損失による信号劣化の度合いが大きくなる。そのため、各光増幅器４で出力光の十分な利得を得るためには、各光増幅器４の入力光の強度を制御することが必要となる。
【００２８】
例えば、各波長選択スイッチ３間の光損失が６ｄＢであり、各波長選択スイッチ３間の光ファイバ長が４０ｋｍ（光損失で８ｄＢに相当）であるとする。また、波長選択スイッチ３−４と、各ＯＮＵ２の間にある光分配器（パワースプリッタ）は３２分岐（光損失で１５ｄＢに相当）であり、波長選択スイッチ３−４から各ＯＮＵ２までの距離は、ＯＮＵ２−１までが４０ｋｍ（光損失で８ｄＢに相当）、ＯＮＵ２−２及２−３までがそれぞれ１０ｋｍ（光損失で２ｄＢに相当）であるとする。この場合、光増幅器４−２及び４−３に入力される信号光の波長数（以下「入力波長数」という。）と、出力光の利得との関係は次の図４のように表される。
【００２９】
図４は、光増幅器４における入力波長数と利得との関係の具体例を示す図である。例えば、図中の光増幅器１は図１の光増幅器４−２に対応し、光増幅器２は図１の光増幅器３−３に対応する。光増幅器４−２及び４−３が図４の例に示す特性をもつ場合、各ＯＮＵ２において受信される光信号の強度は、ＯＮＵ２−１で−２７ｄＢｍとなり、ＯＮＵ２−２及び２−３で−２１ｄＢｍとなる。ここで、各ＯＮＵ２における最小の受光感度が−２５ｄＢｍであるとすると、ＯＮＵ２−２及び２−３はＯＬＴ１から送信された光信号を問題なく受信できるが、ＯＮＵ２−１はＯＬＴ１から送信された光信号を受信することができない。
【００３０】
このように、光増幅器４の利得と入力波長数との間には、入力波長数の増加に応じて利得が減少するという相関があることが分かる。すなわち、これは、入力波長数の増加が、入力される光信号の強度を増加させる要因の一つであることを表している。そこで、本実施形態のＯＬＴ１は、各光増幅器４に対して入力される信号光の入力波長数を制御することによって、各光増幅器４に対して入力される信号光の強度を制御する。具体的には、本実施形態のＯＬＴ１は、各波長の光信号の伝送経路を制御することにより、各光増幅器４に対して入力される信号光の入力波長数を制御する。
【００３１】
図５は、実施形態のＯＬＴ１が、各波長の光信号の伝送経路を制御する処理の流れを示すフローチャートである。まず、ＲＴＴ測定部１０２が各ＯＮＵ２との間のＲＴＴを測定する（ステップＳ１０１）。ＲＴＴ測定部１０２は、ＲＴＴの測定によって取得したＲＴＴ情報を光損失推定部１０４に出力する。一方で、信号強度測定部１０３が、受信信号の光信号強度を測定する（ステップＳ１０２）。具体的には、ＯＬＴ１は、通信品質に影響を与えない程度で受信信号の一部を分配する分配器（図示せず）を備え、分岐された受信信号を信号強度測定部１０３に入力することで光信号強度を測定する。信号強度測定部１０３は、光信号強度の測定によって取得した強度情報を光損失推定部１０４に出力する。
【００３２】
続いて、光損失推定部１０４が、ＲＴＴ情報及び強度情報に基づいて各ＯＮＵ２との間の伝送路における光損失を測定する（ステップＳ１０３）。なお、ＯＬＴ１は、各波長選択スイッチ３間での光損失や各光増幅器４の利得等の情報を予め記憶している。これらの情報は、例えば、ルックアップテーブルの態様で記憶されてもよい。例えば、図１の光アクセスシステム１００では、ＯＬＴ１から波長選択スイッチ３−４までの各経路については、伝送路中の損失及び各光増幅器４の利得が既知の情報として得られている。しかしながら、波長選択スイッチ３−４とＯＮＵ１との間の伝送路における損失については、その正確な距離が分からないため不明である。そこで、ＯＬＴ１は、ＯＮＵ２−１から受信される信号の光信号強度と、ＯＮＵ２−１との間のＲＴＴとを測定することで、波長選択スイッチ３−４とＯＮＵ２−１との間の伝送路における損失を見積もることができる。光損失推定部１０４は、損失の見積もりによって取得した損失情報を経路制御部１０５に出力する。
【００３３】
続いて、経路制御部１０５は、損失情報に基づいて下り信号（ＯＬＴ１からＯＮＵ２に向かう信号）の強度が十分であるか否かを判定する（ステップＳ１０４）。例えば、経路制御部１０５は、各経路の光損失を所定の閾値と比較することにより十分な光信号強度であるか否かを判定する。下り信号の強度が十分でないと判定した場合（ステップＳ１０４−ＮＯ）、経路制御部１０５は、より入力波長数の少ない伝送経路が存在するか否かを判定する（ステップＳ１０５）。より入力波長数の少ない伝送経路が発見された場合（ステップＳ１０５−ＹＥＳ）、経路制御部１０５は、発見された伝送経路のうち最も入力波長数の少ない経路において下り信号の強度が十分であるか否かを判定する（ステップＳ１０６）。発見された最も入力波長数の少ない経路において下り信号の強度が十分である場合（ステップＳ１０６）、経路制御部１０５は、当該波長の信号が、新たに発見された伝送経路で伝送されるように、各波長選択スイッチ３を制御する（ステップＳ１０７）。
【００３４】
一方、より入力波長数の少ない伝送経路が存在しない場合（ステップＳ１０５−ＮＯ）、又は、発見された伝送経路のうち最も入力波長数の少ない経路において下り信号の強度が十分でない場合（ステップＳ１０６−ＮＯ）、経路制御部１０５は、全ての光増幅器４の入力波長数が均一又は略均一になるように全波長の全伝送経路を再計算する（ステップＳ１０８）。経路制御部１０５は、再計算によって得られた伝送経路において、下り信号の強度が十分であるか否かを判定する（ステップＳ１０９）。再計算によって得られた伝送経路において、下り信号の強度が十分である場合（ステップＳ１０９−ＹＥＳ）、経路制御部１０５は、全波長の信号が再計算によって得られた伝送経路で伝送されるように、各波長選択スイッチ３を制御する（ステップＳ１１０）。
【００３５】
一方、再計算によって得られた伝送経路において、下り信号の強度が十分でない場合（ステップＳ１０９−ＮＯ）、経路制御部１０５は、システム全体で使用する波長数を１減らした（ステップＳ１１１）上で処理をステップＳ１０８に戻し、全波長の全伝送経路を再計算する。
【００３６】
図６は、実施形態の光アクセスシステム１００の動作例を示す図である。上述したように、図１の例で示した伝送経路では、ＯＮＵ２−１において通信品質が著しく劣化する可能性があった。この場合、実施形態のＯＬＴ１は、図５のフローチャートで示した処理を実行することにより、波長λ１の光信号の伝送経路を図１に示す伝送経路から図６に示す伝送経路に切り替える。具体的には、経路制御部１０５が、ＯＮＵ２−１が使用する波長λ１の信号の伝送経路を、波長λ２及びλ３とは異なる別の伝送経路に切り替える。この伝送経路の切り替えにより、波長λ１の信号の伝送経路上にある光増幅器４の入力波長数が減少し、光利得が増加する。その結果、図１の例において−２７ｄＢｍであったＯＮＵ２−１における光信号強度が−２５ｄＢｍ程度にまで改善することができる。
【００３７】
このように構成された実施形態のＯＬＴ１は、ＰＯＮ区間の伝送距離が長いＯＮＵ２に対して入力波長数が少ない光増幅器４で伝送経路を構成する。具体的には、経路制御部１０５が、ＯＮＵ２から送信された光信号の強度に基づいて、光増幅器４の一部又は全部において所定以上の利得が得られるように、一以上の波長選択スイッチ３が入力された光信号の波長に応じて選択する出力ポートを制御する。
【００３８】
また、経路制御部１０５は、一以上の波長選択スイッチ３の出力ポートを制御することにより、複数の光増幅器４間で、各波長の光信号の利得が略均一になるように各光増幅器４に入力する波長の数を制御する。
【００３９】
また、経路制御部１０５は、ＯＮＵ２から送信された光信号の強度に基づいて自装置とＯＮＵ２との間の距離を推定し、自装置からより遠いＯＮＵ２が送受信する光信号ほど、入力される光信号の波長数がより少ない光増幅器４を通過するように、複数の波長選択スイッチ３の出力ポートを制御する。
【００４０】
また、ＯＬＴ１とＯＮＵ２とがそれぞれ複数の波長で光信号を送受信可能であり、かつ波長を任意に変更可能である場合、経路制御部１０５は、ＯＮＵ２から送信された光信号の強度に応じて、光増幅器４で所定以上の利得が得られるように、ＯＮＵ２が送受信する光信号の波長を制御する。
【００４１】
このような構成を備えることにより、実施形態のＯＬＴ１は、光アクセスシステム１００においてＰＯＮ区間の距離が長いＯＮＵ２との間の信号品質の劣化を抑制することが可能となる。
【００４２】
さらに、実施形態のＯＬＴ１は、光増幅器４間で入力波長数に大きな偏りがない場合においても、ＰＯＮ区間の伝送距離が長いＯＮＵ２に対して、入力波長数がより少なくなる新たな伝送経路を設定することができる。さらに、実施形態のＯＬＴ１は、入力波長数がより少なくなる新たな伝送経路が発見されない場合には、既存の全波長の全経路を再構成することにより、全波長について最適な伝送経路を構成することができる。
【００４３】
＜変形例＞
上述した実施形態におけるＯＬＴ１をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００４４】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４５】
本発明は、ＰＯＮシステムに適用可能である。
【符号の説明】
【００４６】
１００…光アクセスシステム、  １…ＯＬＴ（Optical Line Terminal）、  １０１…光信号入出力部、  １０２…ＲＴＴ（Round Trip Time）測定部、  １０３…信号強度測定部、  １０４…光損失推定部、  １０５…経路制御部、  ２，２−１〜２−３…ＯＮＵ（Optical Network Unit）、  ３，３−１〜３−４…波長選択スイッチ、  ４，４−１〜４−４…光増幅器、  ２００…リング型ネットワーク
【図１】
2018129749.tif 000003
【図２】
2018129749.tif 000004
【図３】
2018129749.tif 000005
【図４】
2018129749.tif 000006
【図５】
2018129749.tif 000007
【図６】
2018129749.tif 000008